(57)【特許請求の範囲】
【請求項１】
端子を保持する保持部が相手方ハウジングに挿入される方向を第１の方向とするとき、前記第１の方向と直交する第２の方向に前記保持部と対向する外殻部を備えるハウジングと、
前記保持部と前記外殻部の間で前記第１の方向と前記第２の方向に直交する第３の方向に移動可能に保持されるスライダであって、前記相手方ハウジングに設けられた係合部との係合／非係合が前記スライダの位置に応じて切り替わる係合部を備えるスライダと、
前記外殻部の前記第２の方向の外側に設けられた旋回軸部を中心に旋回可能なレバーであって、前記外殻部に形成された窓を通過して前記スライダに形成されたカム溝に挿入されるカム軸部を備えるレバーと、
を備え、
前記カム軸部は、前記外殻部の前記第２の方向の内側で、前記外殻部の前記窓の縁に引っ掛かる爪部を備える、
コネクタ。
【請求項２】
前記爪部は、前記窓を通過する基部よりも前記旋回軸部から遠い側に突出し、
前記外殻部の前記旋回軸部から前記窓の前記遠い側の縁までの距離は、前記レバーの前記旋回軸部から前記爪部の前記遠い側の端までの距離よりも小さく、前記レバーの前記旋回軸部から前記基部の前記遠い側の端までの距離よりも大きい、
請求項１に記載のコネクタ。
【請求項３】
前記レバーが弾性変形した状態で、前記レバーの前記カム軸部が前記外殻部の前記窓に挿入され、前記外殻部の前記旋回軸部が前記レバーの旋回軸穴に挿入される、
請求項２に記載のコネクタ。
【請求項４】
前記外殻部の前記旋回軸部から前記窓の前記遠い側の縁までの距離は、前記遠い側の縁の全体にわたって、前記レバーの前記旋回軸部から前記爪部の前記遠い側の端までの距離よりも小さい、
請求項２に記載のコネクタ。
【請求項５】
前記窓の前記旋回軸部に近い側の縁は、前記遠い側の縁との間隔が、前記爪部を含む前記カム軸部の前記近い側の端から前記遠い側の端までの距離よりも大きい部分と、当該距離よりも小さい部分と、を含む、
請求項２に記載のコネクタ。
【請求項６】
前記爪部は、前記遠い側に向かうに従って幅が狭くなる形状を有する、
請求項２に記載のコネクタ。
【請求項７】
前記旋回軸部は、前記カム軸部の前記爪部とは逆側に突出する爪部を備える、
請求項２に記載のコネクタ。
【発明の詳細な説明】
【技術分野】
【０００１】
本発明はコネクタに関し、特にはロックのための構造に関する。
【背景技術】
【０００２】
特許文献１に記載されたコネクタは、レバーと連動部材とを備えており、レバーを回動させると、連動部材がスライドして、連動部材のカム溝と相手方コネクタのカムピンとが係合する。
【先行技術文献】
【特許文献】
【０００３】
【特許文献１】特開２００３−１３２９９７号公報
【発明の概要】
【発明が解決しようとする課題】
【０００４】
ところで、上記従来のコネクタでは、連動部材、レバー及びハウジングが、内側から外側に向かう方向にこの順番で配列しており、ハウジングに形成されたレバー収容溝にレバーが収容されている。しかしながら、このような構造では、レバーの可動範囲が制限されやすい。
【０００５】
本発明は、上記課題に鑑みてなされたものであって、その目的は、レバーの可動範囲の拡大を図ることが可能なコネクタを提供することにある。
【課題を解決するための手段】
【０００６】
上記課題を解決するため、本発明のコネクタは、端子を保持する保持部が相手方ハウジングに挿入される方向を第１の方向とするとき、前記第１の方向と直交する第２の方向に前記保持部と対向する外殻部を備えるハウジングと、前記保持部と前記外殻部の間で前記第１の方向と前記第２の方向に直交する第３の方向に移動可能に保持されるスライダであって、前記相手方ハウジングに設けられた係合部との係合／非係合が前記スライダの位置に応じて切り替わる係合部を備えるスライダと、前記外殻部の前記第２の方向の外側に設けられた旋回軸部を中心に旋回可能なレバーであって、前記外殻部に形成された窓を通過して前記スライダに形成されたカム溝に挿入されるカム軸部を備えるレバーと、を備える。
【０００７】
また、本発明の一態様では、前記カム軸部は、前記外殻部の前記第２の方向の内側で、前記外殻部の前記窓の縁に引っ掛かる爪部を備えてもよい。
【０００８】
また、本発明の一態様では、前記爪部は、前記窓を通過する基部よりも前記旋回軸部から遠い側に突出し、前記外殻部の前記旋回軸部から前記窓の前記遠い側の縁までの距離は、前記レバーの前記旋回軸部から前記爪部の前記遠い側の端までの距離よりも小さく、前記レバーの前記旋回軸部から前記基部の前記遠い側の端までの距離よりも大きくてもよい。
【０００９】
また、本発明の一態様では、前記レバーが弾性変形した状態で、前記レバーの前記カム軸部が前記外殻部の前記窓に挿入され、前記外殻部の前記旋回軸部が前記レバーの旋回軸穴に挿入されてもよい。
【００１０】
また、本発明の一態様では、前記外殻部の前記旋回軸部から前記窓の前記遠い側の縁までの距離は、前記遠い側の縁の全体にわたって、前記レバーの前記旋回軸部から前記爪部の前記遠い側の端までの距離よりも小さくてもよい。
【００１１】
また、本発明の一態様では、前記窓の前記旋回軸部に近い側の縁は、前記遠い側の縁との間隔が、前記爪部を含む前記カム軸部の前記近い側の端から前記遠い側の端までの距離よりも大きい部分と、当該距離よりも小さい部分と、を含んでもよい。
【００１２】
また、本発明の一態様では、前記爪部は、前記遠い側に向かうに従って幅が狭くなる形状を有してもよい。
【００１３】
また、本発明の一態様では、前記旋回軸部は、前記カム軸部の前記爪部とは逆側に突出する爪部を備えてもよい。
【発明の効果】
【００１４】
本発明によると、外殻部の外側にレバーが配置されるため、レバーの可動範囲の拡大を図ることが可能である。
【図面の簡単な説明】
【００１５】
【図１】本発明の一実施形態に係るコネクタの斜視図である。
【図２】コネクタの正面図である。
【図３】コネクタの右側面図である。
【図４】ハウジングの正面図である。
【図５】ハウジングの右側面図である。
【図６】スライダの正面図である。
【図７】スライダの右側面図である。
【図８】スライダの左側面図である。
【図９】レバーの正面図である。
【図１０】レバーの右側面図である。
【図１１】レバーの取り付けを説明するための正面図である。
【図１２】レバーの取り付けを説明するための右側面図である。
【図１３Ａ】レバーの取り付けを説明するための断面図である。
【図１３Ｂ】レバーの取り付けを説明するための断面図である。
【図１３Ｃ】レバーの取り付けを説明するための断面図である。
【発明を実施するための形態】
【００１６】
本発明の実施形態を、図面を参照しながら説明する。
【００１７】
図１、図２及び図３は、本発明の一実施形態に係るコネクタ１の斜視図、正面図及び右側面図である。図１では、スライダ３の図示を省略している。図４及び図５は、ハウジング２の正面図及び右側面図である。図４及び図５では、ハウジング２がスライダ３を収容した状態を示している。図６、図７及び図８は、スライダ３の正面図、右側面図及び左側面図である。図８では、相手方ハウジング９との係合を説明するための図を二点鎖線で付加している。図９及び図１０は、レバー４の正面図及び右側面図である。
【００１８】
図１１、図１２及び図１３Ａ〜Ｃは、レバー４の取り付けを説明するための正面図、右側面図及び断面図である。図１１及び図１２は、レバー４の取り付け前の状態を示しており、図１３Ａは、図１２中のＡ−Ａ線で切断したときの断面図である。図１３Ａ〜Ｃでは、レバー４が取り付けられる様子を段階的に示している。
【００１９】
本明細書及び図面において、第１の方向は、コネクタ１の挿抜方向であり、第１の方向のうち、相手方ハウジング９（図８を参照）に近い側を下側、遠い側を上側と呼ぶ。第２の方向は、第１の方向と直交する方向であって、ハウジング２の長板部２３の法線方向である。第２の方向のうち、長板部２３に対してスライダ３が位置する側を内側、レバー４が位置する側を外側と呼ぶ。第３の方向は、第１及び第２の方向と直交する方向であって、ハウジング２に収容されたスライダ３の移動方向である。第３の方向のうち、図１においてレバー４の先端が位置する側を非係合側、ハウジング２の突出部２７が設けられる側を係合側と呼ぶ。
【００２０】
図３中の一点鎖線両矢印は、旋回軸部２３１を中心とする周方向を示しており、レバー４はこの方向に旋回する。また、実線片矢印ＦとＮは、旋回軸部２３１を中心とする径方向の、旋回軸部２３１から遠い側と旋回軸部２３１に近い側を示している。
【００２１】
図１〜図３に示されるように、コネクタ１は、ハウジング２と、ハウジング２に移動可能に収容されるスライダ３と、ハウジング２に旋回可能に支持され、スライダ３を駆動するレバー４と、を備えている。これらは、例えば合成樹脂からなる。
【００２２】
ハウジング２は、第１の方向を軸方向とする矩形筒状の外殻部２１を備えている。外殻部２１は、第２の方向に互いに対向する一対の長板部２３と、第３の方向に互いに対向する一対の短板部２５と、を備えている。長板部２３には、上方向に突出する突出部２７が設けられている。
【００２３】
外殻部２１の内側には、端子を保持する保持部２９（図１３Ａ〜Ｃを参照）が配置される。保持部２９は、外殻部２１と一体であってもよいし、別体であってもよい。ハウジング２が相手方ハウジング９（図８を参照）と嵌合するとき、保持部２９が相手方ハウジング９に挿入され、外殻部２１が相手方ハウジング９を包囲する。
【００２４】
図４及び図５に示されるように、長板部２３の第３の方向の中央部かつ第１の方向の下部には、第２の方向の外側に突出する旋回軸部２３１が設けられている。旋回軸部２３１は、円柱状の基部２３３と、基部２３３からラジアル方向に突出する抜け止めのための爪部２３５と、を備えている。
【００２５】
長板部２３の第３の方向の中央部かつ第１の方向の中央部には、第２の方向に貫通する円弧状の窓２３ａが形成されている。窓２３ａは、旋回軸部２３１を中心とする円弧状を成している。窓２３ａの形状の詳細は、後述する。
【００２６】
長板部２３には、スライダ３を収容する挿入穴２５ａが形成されており、第３の方向の非係合側の短板部２５には、挿入穴２５ａの開口が形成されている。挿入穴２５ａの上下には、スライダ３を第３の方向に移動可能に保持するレール溝２５１，２５２が形成されている（図１３Ａ〜Ｃを参照）。
【００２７】
図６〜図８に示されるように、スライダ３は矩形板状である。スライダ３の第２の方向の外側の面には、第１の方向に延伸するカム溝３ａが形成されている。ハウジング２にスライダ３が収容されるとき、カム溝３ａの一部が、長板部２３に形成された窓２３ａに現れる（図３及び図５を参照）。
【００２８】
スライダ３の第２の方向の内側の面には、係合溝３ｂが形成されている。係合溝３ｂは、第３の方向の非係合側かつ第１の方向の上側に延伸している。ハウジング２が相手方ハウジング９と嵌合するとき、スライダ３に形成された係合溝３ｂに、相手方ハウジング９に設けられた係合突起９１が挿入される。
【００２９】
レバー４の旋回によりスライダ３が第３の方向の係合側に移動すると、係合溝３ｂと係合突起９１が係合し、さらにカム作用によってハウジング２が第１の方向の下側に移動する。その結果、ハウジング２と相手方ハウジング９の嵌合が完了すると共に、ハウジング２の第１の方向の移動が制限される。
【００３０】
図９及び図１０に示されるように、レバー４は、互いに対向する一対の板状のアーム部４１を備えている。アーム部４１の延伸方向の一方の端部には、ハウジング２に設けられた旋回軸部２３１が挿入される鍵穴状の旋回軸穴４１ａが形成されている。アーム部４１の延伸方向の他方の端部には、ブリッジ部４３が架け渡されている。
【００３１】
アーム部４１の互いに対向する内側の面には、旋回軸穴４１ａとブリッジ部４３の中間よりも旋回軸穴４１に近い側Ｎの位置に、カム軸部４１１が設けられている。カム軸部４１１は、円柱状の基部４１３と、基部４１３からラジアル方向に突出する抜け止めのための爪部４１５と、を備えている。爪部４１５は、旋回軸穴４１ａから遠い側Ｆに向かって突出している。
【００３２】
カム軸部４１１は、外殻部２１に形成された窓２３ａを通過してスライダ３に形成されたカム溝３ａに挿入される（図３及び図１３Ａ〜Ｃを参照）。レバー４の取り付けの詳細は、後述する。
【００３３】
レバー４が旋回軸部２３１を中心に旋回すると、カム溝３ａに挿入されたカム軸部４１１がスライダ３を主に第３の方向に押し、これにより、スライダ３がレール溝２５１，２５２に沿って第３の方向に移動する。なお、スライダ３の移動方向は、第３の方向を含んでいればよく、第３の方向のみに限られない。
【００３４】
以上に説明した本実施形態によると、ハウジング２の外側にレバー４が配置されることから、レバー４の可動範囲の拡大を図り、コネクタ１の設計の自由度を高めることが可能である。
【００３５】
ところで、このようにハウジング２の外側にレバー４が配置される場合、一対のアーム部４１を外側に広げるような力が生じやすく、カム溝３ａからカム軸部４１１が抜けるおそれがある。このような力が生じる理由は、レバー４の旋回時に旋回軸穴４１ａの縁が旋回軸部２３１をラジアル方向に押して、旋回軸部２３１が変形してしまうためと考えられる。
【００３６】
そこで、本実施形態では、図３及び図１３Ｃに示されるように、カム軸部４１１の爪部４１５が、長板部２３の第２の方向の内側で、窓２３ａの旋回軸部２３１から遠い側Ｆの縁２３７に引っ掛かるように構成することで、カム溝３ａからカム軸部４１１が抜けることを抑制している。
【００３７】
具体的には、図１３Ｃに示されるように、旋回軸部２３１（又は旋回軸穴４１ａ）から窓２３ａの遠い側Ｆの縁２３７までの距離Ｌｒは、旋回軸穴４１ａ（又は旋回軸部２３１）から爪部４１５の遠い側Ｆの端までの距離Ｌｎよりも小さく、旋回軸穴４１ａ（又は旋回軸部２３１）から基部４１３の遠い側Ｆの端までの距離Ｌｂよりも大きく設定されている。なお、距離Ｌｒ，Ｌｎ，Ｌｂは、旋回軸部２３１を中心とする径方向に沿った距離である。
【００３８】
また、図５及び図１３Ｃに示されるように、旋回軸部２３１から窓２３ａの遠い側Ｆの縁２３７までの距離Ｌｒは、当該縁２３７の全体にわたって、旋回軸部２３１から爪部４１５の遠い側Ｆの端までの距離Ｌｎよりも小さく設定されている。これによると、レバー４の旋回によって移動するカム軸部４１１が窓２３ａの何れの位置にあっても、カム溝３ａからカム軸部４１１が抜けることを抑制することが可能である。
【００３９】
また、窓２３ａの旋回軸部２３１に近い側Ｎの縁２３８は、遠い側Ｆの縁２３７との間隔Ｌｗａがカム軸部４１１の最大径Ｌｃよりも小さい部分２３８ａと、遠い側Ｆの縁２３７との間隔Ｌｗｂがカム軸部４１１の最大径Ｌｃよりも大きい部分２３８ｂと、を含んでいる。間隔Ｌｗｂの部分２３８ｂは、近い側Ｎの縁２３８のうち、第３の方向の非係合側の端に位置している。カム軸部４１１の最大径Ｌｃとは、爪部４１５を含むカム軸部４１１の近い側Ｎの端から遠い側Ｆの端までの距離である。
【００４０】
これによると、間隔Ｌｗｂの部分２３８ｂでカム軸部４１１を窓２３ａに通過させることが可能であり、通過させた後は、爪部４１５が遠い側Ｆの縁２３７に引っ掛かるので、カム溝３ａからカム軸部４１１が抜けることを抑制することが可能である。また、間隔Ｌｗａの部分２３８ａにカム軸部４１１があるときは、爪部４１５が遠い側Ｆの縁２３７に引っ掛かる上、間隔Ｌｗａがカム軸部４１１の最大径Ｌｃよりも小さいので、カム溝３ａからカム軸部４１１が抜けることを抑制することが可能である。
【００４１】
また、図３及び図１０に示されるように、カム軸部４１１の爪部４１５は、旋回軸部２３１から遠い側Ｆに向かうに従って幅が狭くなる先細り形状を有している。これによると、レバー４の旋回によってカム軸部４１１が移動するときに、爪部４１５がカム溝３ａの内面に当たることを抑制し、基部４１３がカム溝３ａの内面を押すようにすることが可能である。
【００４２】
以下、レバー４の取り付けについて説明する。
【００４３】
始めに、図１１、図１２及び図１３Ａに示されるように、レバー４の一対のアーム部４１が、スライダ３を収容したハウジング２を第２の方向に挟むように、レバー４が配置される。
【００４４】
具体的には、レバー４のカム軸部４１１が、窓２３ａの第３方向の非係合側の端に嵌まるように、レバー４が配置される。上述したように、窓２３ａの旋回軸部２３１に近い側Ｎの縁２３８は、遠い側Ｆの縁２３７との間隔Ｌｗｂがカム軸部４１１の最大径Ｌｃよりも大きい部分２３８ｂを有していることから、この部分２３８ｂでカム軸部４１１を窓２３ａに通過させることが可能である。
【００４５】
但し、上述したように、旋回軸部２３１から窓２３ａの遠い側Ｆの縁２３７までの距離Ｌｒは、旋回軸穴４１ａから爪部４１５の遠い側Ｆの端までの距離Ｌｎよりも小さいことから、アーム部４１が直線状のままでは、カム軸部４１１を窓２３ａに挿入し、かつ、旋回軸部２３１を旋回軸穴４１ａに挿入することはできない。
【００４６】
そこで、図１３Ｂに示されるように、アーム部４１のカム軸部４１１の裏側が、人の指などにより第２の方向の内側に向かって押圧される。
【００４７】
これにより、アーム部４１のカム軸部４１１と旋回軸穴４１ａの間の部分が弾性変形して、カム軸部４１１がカム溝３ａに押し込まれる。このとき、爪部４１５が窓２３ａを超えてカム溝３ａに入ると、アーム部４１が爪部４１５の突出分だけ旋回軸部２３１から遠い側Ｆに移動し、旋回軸部２３１を旋回軸穴４１ａに挿入することが可能となる。
【００４８】
その結果、図１３Ｃに示されるように、カム軸部４１１を窓２３ａに挿入し、かつ、旋回軸部２３１を旋回軸穴４１ａに挿入した状態が得られる。
【００４９】
なお、旋回軸部２３１の爪部２３５は、カム軸部４１１の爪部４１５とは逆側に突出しており、同様に旋回軸穴４１ａも逆側に延伸している。これによると、アーム部４１が爪部４１５の突出分だけ旋回軸部２３１から遠い側Ｆに移動し、旋回軸穴４１ａに旋回軸部２３１が挿入される際に、爪部２３５により挿入が阻害されることを抑制することが可能である。
【００５０】
以上、本発明の実施形態について説明したが、本発明は上記実施形態に限定されるものではなく、種々の変形実施が当業者にとって可能であるのはもちろんである。
【符号の説明】
【００５１】
１  コネクタ、２  ハウジング、２１  外殻部、２３  長板部、２３ａ  窓、２３１  旋回軸部、２３３  基部、２３５  爪部、２３７，２３８  縁、２３８ａ，２３８ｂ  部分、２５  短板部、２５ａ  挿入穴、２５１，２５２  レール溝、２７  突出部、２９  保持部、３  スライダ、３ａ  カム溝、３ｂ  係合溝、４  レバー、４１  アーム部、４１ａ  旋回軸穴、４１１  カム軸部、４１３  基部、４１５  爪部、４３  ブリッジ部、９  相手方ハウジング、９１  係合突起。
【図１】
0006339873.tif 000002
【図２】
0006339873.tif 000003
【図３】
0006339873.tif 000004
【図４】
0006339873.tif 000005
【図５】
0006339873.tif 000006
【図６】
0006339873.tif 000007
【図７】
0006339873.tif 000008
【図８】
0006339873.tif 000009
【図９】
0006339873.tif 000010
【図１０】
0006339873.tif 000011
【図１１】
0006339873.tif 000012
【図１２】
0006339873.tif 000013
【図１３Ａ】
0006339873.tif 000014
【図１３Ｂ】
0006339873.tif 000015
【図１３Ｃ】
0006339873.tif 000016